(57)【要約】【課題】  画像データの秘密性を保持しながら安全にコピーすることができる画像データ記録システム、画像データ記録装置、デジタルカメラ及びそのプログラムを実現する。【解決手段】  デジタルカメラにメモリ・カードが装着されたか否かを判断し、装着された場合には、デジタルカメラの内蔵データをメモリ・カードにコピーするか否かを判断する。そして、コピーする場合には、ユーザによって入力されたパスワードと予めデジタルカメラに記録されているパスワードとが一致するか否かを判断する。そして、一致する場合には、内蔵データのすべてのデータをメモリ・カードに記録し、一致しない場合には、データコピーの処理を終了する。【選択図】  図３
2005167548.tif 000002
【特許請求の範囲】
【請求項１】
装着部に対して着脱可能とする第１の記録手段を用いて、デジタルカメラに記録されている画像データを画像記録装置に記録する画像データ記録システムであって、
前記デジタルカメラは、
所定識別情報を設定する設定手段と、
ユーザが識別情報を入力するための入力手段と、
前記入力手段により入力された識別情報と、前記設定手段に設定された所定識別情報とが一致するか否かを判断する一致判断手段と、
前記一致判断手段により一致すると判断した場合には、第２の記録手段に記録されている画像データを前記第１の記録手段に記録する第１の記録制御手段と、
を備え、
前記画像記録装置は、
前記第１の記録手段に記録されている画像データを第３の記録手段に記録する第２の記録制御手段と、
を備えたことを特徴とする画像データ記録システム。
【請求項２】
前記画像記録装置は、
前記第１の記録手段が装着部に装着されたか否かを判断する判断手段を備え、
前記第２の記録制御手段は、
前記判断手段により装着されたと判断した場合に、前記第１の記録手段に記録されている画像データを前記第３の記録手段に記録することを特徴とする請求項１記載の画像データ記録システム。
【請求項３】
装着部に対して着脱可能とする第１の記録手段を用いて、デジタルカメラに記録されている画像データを画像記録装置に記録する画像データ記録システムであって、
前記デジタルカメラは、
所定識別情報を設定する設定手段と、
第２の記録手段に記録されている画像データ及び前記設定手段に設定された所定識別情報を暗号化する暗号化手段と、
前記暗号化手段によって暗号化された画像データ及び所定識別情報を前記第１の記録手段に記録する第１の記録制御手段と、
を備え、
前記画像記録装置は、
ユーザが識別情報を入力するための入力手段と、
前記第１の記録手段に記録されている暗号化された画像データ及び所定識別情報を解凍する解凍手段と、を有し、
前記入力手段により入力された識別情報と、前記解凍手段によって解凍された所定識別情報とが一致するか否かを判断する一致判断手段と、
前記一致判断手段により一致と判断された場合には、前記第１の記録手段に記録されている暗号化された画像データを前記解凍手段によって解凍する解凍制御手段と、前記解凍手段によって解凍された画像データを第３の記録手段に記録する第２の記録制御手段と、
を備えたことを特徴とする画像データ記録システム。
【請求項４】
被写体を撮影する撮影手段と、
前記撮影手段により撮影された画像データを第１の記録手段に記録する第１の記録制御手段と、を備えたデジタルカメラであって、
所定識別情報を設定する設定手段と、
ユーザが識別情報を入力するための入力手段と、
前記入力手段により入力された識別情報と、前記設定手段に設定された所定識別情報とが一致するか否かを判断する一致判断手段と、
前記一致判断手段により一致したと判断した場合には、前記第１の記録手段に記録されている画像データを、装着部に対して着脱可能とする第２の記録手段に記録する第２の記録制御手段と、
を備えたことを特徴とするデジタルカメラ。
【請求項５】
前記第２の記録制御手段は、
前記第１の記録手段に記録されているすべての画像データを前記第２の記録手段に記録することを特徴とする請求項４記載のデジタルカメラ。
【請求項６】
前記第２の記録手段が前記装着部に装着されたか否かを判断する第１の判断手段と、
前記第１の記録手段に画像データが記録されているか否かを判断する第２の判断手段と、
前記入力手段により識別情報が入力されたか否かを判断する第３の判断手段とを備え、
前記一致判断手段は、前記第１の判断手段により装着されたと判断され、且つ前記第２の判断手段により画像データが記録されていると判断され、且つ前記第３の判断手段により識別情報が入力されたと判断された場合に、前記入力手段により入力された識別情報と、前記設定手段に設定された所定識別情報とが一致するか否かを判断することを特徴とする請求項４又は５記載のデジタルカメラ。
【請求項７】
被写体を撮影する撮影手段と、
前記撮影手段により撮影された画像データを第１の記録手段に記録する第１の記録制御手段と、を備えたデジタルカメラであって、
所定識別情報を設定する設定手段と、
前記第１の記録手段に記録されている画像データ及び前記設定手段に設定された所定識別情報を暗号化する暗号化手段と、
前記暗号化手段により暗号化された画像データ及び所定識別情報を、装着部に対して着脱可能とする第２の記録手段に記録する第２の記録制御手段と、
を備えたことを特徴とするデジタルカメラ。
【請求項８】
前記第２の記録手段が前記装着部に装着されたか否かを判断する判断手段を備え、
前記暗号化手段は、前記判断手段により装着されたと判断した場合には、
前記第１の記録手段に記録されている画像データ及び前記設定手段に設定された所定識別情報を暗号化し、
前記第２の記録制御手段は、
該暗号化された画像データ及び所定識別情報を前記第２の記録手段に記録することを特徴とする請求項７記載のデジタルカメラ。
【請求項９】
前記暗号化手段は、
前記第１の記録手段に記録されているすべての画像データを暗号化し、
前記第２の記録制御手段は、
該暗号化されたすべての画像データを前記第２の記録手段に記録することを特徴とする請求項７又は８記載のデジタルカメラ。
【請求項１０】
前記設定手段は、
ユーザによって任意に設定することができることを特徴とする請求項４乃至９いずれかに記載のデジタルカメラ。
【請求項１１】
装着部に対して着脱可能とする第１の記録手段に記録されている暗号化された画像データ及び所定識別情報を解凍する解凍手段と、
ユーザが識別情報を入力するための入力手段と、
を備え、
前記入力手段により入力された識別情報と、前記解凍手段によって解凍された所定識別情報とが一致するか否かを判断する一致判断手段と、
前記一致判断手段により一致と判断された場合には、前記第１の記録手段に記録されている暗号化された画像データを前記解凍手段によって解凍する解凍制御手段と、前記解凍手段によって解凍された画像データを第２の記録手段に記録する記録制御手段と、
を備えたことを特徴とする画像データ記録装置。
【請求項１２】
前記解凍手段は、
前記第１の記録手段に記録されているすべての画像データを解凍し、
前記記録制御手段は、
該解凍されたすべての画像データを前記第２の記録手段に記録することを特徴とする請求項１１記載の画像データ記録装置。
【請求項１３】
前記第１の記録手段が前記装着部に装着されたか否かを判断する第１の判断手段と、
前記入力手段により識別情報が入力されたか否かを判断する第２の判断手段とを備え、
前記一致判断手段は、前記第１の判断手段により装着されたと判断され、且つ前記第２の判断手段により識別情報が入力されたと判断された場合に、前記入力手段により入力された識別情報と、前記解凍手段によって解凍された所定識別情報とが一致するか否かを判断することを特徴とする請求項１１又は１２記載の画像データ記録装置。
【請求項１４】
前記第２の記録手段に画像データを記録するためのフォルダを登録する登録手段を備え、
前記記録制御手段は、
前記登録手段により登録されたフォルダに画像データを記録することを特徴とする請求項１１乃至１３いずれかに記載の画像データ記録装置。
【請求項１５】
前記記録制御手段は、
前記登録手段により登録されたフォルダに画像データを記録する際に、該登録されたフォルダの中に日付フォルダを設け、その日付フォルダの中に該画像データを記録することを特徴とする請求項１４記載の画像データ記録装置。
【請求項１６】
前記日付フォルダの日付は、
画像データを前記第２の記録手段に記録する時の日時であることを特徴とする請求項１５記載の画像データ記録装置。
【請求項１７】
被写体を撮影する撮影手段と、
前記撮影手段により撮影された画像データを第１の記録媒体に記録する第１の記録制御手段と、を備えたデジタルカメラを実行させるプログラムであって、
所定識別情報を設定する設定処理と、
ユーザによって識別情報が入力されたか否かを判断する判断処理と、
前記判断処理により入力されたと判断された識別情報と、前記設定処理により設定された所定識別情報とが一致するか否かを判断する処理と、
この処理により一致したと判断した場合には、前記第１の記録媒体に記録されている画像データを、装着部に対して着脱可能とする第２の記録媒体に記録する処理と、
を含み、上記各処理をデジタルカメラで実行させることを特徴とするプログラム。
【請求項１８】
被写体を撮影する撮影手段と、
前記撮影手段により撮影された画像データを第１の記録媒体に記録する第１の記録制御手段と、を備えたデジタルカメラを実行させるプログラムであって、
所定識別情報を設定する設定処理と、
前記第１の記録媒体に記録されている画像データ及び前記設定処理により設定された所定識別情報を暗号化する処理と、
この処理により暗号化された画像データ及び所定識別情報を、装着部に対して着脱可能とする第２の記録媒体に記録する処理と、
を含み、上記各処理をデジタルカメラで実行させることを特徴とするプログラム。
【請求項１９】
装着部に対して着脱可能とする第１の記録媒体に記録されている暗号化された画像データ及び所定識別情報を解凍する解凍処理と、
ユーザによって識別番号が入力されたか否かを判断する判断処理と、
を含み、
前記判断処理により入力されたと判断された識別情報と、前記解凍処理によって解凍された所定識別情報とが一致するか否かを判断する処理と、
この処理により一致と判断された場合には、前記第１の記録媒体に記録されている暗号化された画像データを前記解凍処理によって解凍し、該解凍処理によって解凍された画像データを第２の記録媒体に記録する処理と、
を含み、上記各処理をコンピュータで実行させることを特徴とするプログラム。
【発明の詳細な説明】
【技術分野】
【０００１】
本発明は、画像データ記録システム、画像データ記録装置、デジタルカメラ及びそのプログラムに係り、詳しくは、画像データの秘密性を保持しながら安全にコピーすることができる画像データ記録システム、画像データ記録装置、デジタルカメラ及びそのプログラムに関する。
【背景技術】
【０００２】
従来、デジタルカメラの普及により、誰でも手軽に様々な場面で撮影を行うことができるようになり、この撮影したデータをデジタルカメラの内蔵メモリ等に記録していた。
また、内蔵メモリに記録されたデータをＰＣ等の他の電子機器（デジタルカメラも含む）にコピーしたい場合、又はＰＣ等の内蔵メモリに記録された画像を他のＰＣ等にコピーしたい場合には、まず、内蔵メモリに記録された画像を着脱可能なメモリ・カード等に記録する。そして、該メモリ・カードをＰＣ等に装着し、メモリ・カードに記録された画像をＰＣ等に記録していた。
また、特定の他人に対して記録した画像を見せたい場合には、内蔵メモリに記録したデータをメモリ・カード等に記録して、メモリ・カード等を渡す場合もある。
さらに、メモリ・カード等にデータを記録する際に、第三者が画像を見ることの防止、プライベートの保護のためにデータ毎にパスワードをかける技術もある。
【０００３】
また、下記特許公開公報には、ＩＣメモリカードなる発明が開示されている。詳しくは、メモリカード自体に固定型パスワードを記録しておき、パソコン側でユーザによって入力されたパスワードを取得する。そして、該入力されたパスワードと固定型パスワードを比較し、一致していなければビジー状態になり、メモリカードの読み出し、書き込み、消去を防止することができるＩＣメモリカードなるものが記載されている。
【０００４】
【特許文献１】公開特許公報  特開平７−１２９７３６（段落「００１１」〜段落「００２１」参照）
【発明の開示】
【発明が解決しようとする課題】
【０００５】
しかしながら、従来のデジタルカメラ等にあっては、以下のような問題点があった。
（１）プライバシーの保護等により、メモリ・カードにデータをコピーする場合には、データ毎にパスワードをかけると、コピー後の利用時に不便であり、ユーザの手間がかかり、面倒であった。
（２）また、デジタルカメラとパソコン等とをＵＳＢケーブル等により通信接続することにより、デジタルカメラに記録されている画像をパソコン等に転送することは可能であるが、ケーブル等により通信接続しなければならないので不利不便であった。
（３）また、このような問題は、上記した特許文献に開示されている技術によっても解決できるというものではなかった。
【０００６】
そこで本発明は、かかる従来の問題点に鑑みてなされたものであり、画像データの秘密性を保持しながら安全にコピーすることができる画像データ記録システム、画像データ記録装置、デジタルカメラ及びそのプログラムを提供することを目的とする。
【課題を解決するための手段】
【０００７】
上記目的達成のため、請求項１記載の発明による画像データ記録システムは、装着部に対して着脱可能とする第１の記録手段を用いて、デジタルカメラに記録されている画像データを画像記録装置に記録する画像データ記録システムであって、
前記デジタルカメラは、
所定識別情報を設定する設定手段と、
ユーザが識別情報を入力するための入力手段と、
前記入力手段により入力された識別情報と、前記設定手段に設定された所定識別情報とが一致するか否かを判断する一致判断手段と、
前記一致判断手段により一致すると判断した場合には、第２の記録手段に記録されている画像データを前記第１の記録手段に記録する第１の記録制御手段と、
を備え、
前記画像記録装置は、
前記第１の記録手段に記録されている画像データを第３の記録手段に記録する第２の記録制御手段と、
を備えたことを特徴とする。
【０００８】
また、例えば、請求項２に記載されているように、前記画像記録装置は、
前記第１の記録手段が装着部に装着されたか否かを判断する判断手段を備え、
前記第２の記録制御手段は、
前記判断手段により装着されたと判断した場合に、前記第１の記録手段に記録されている画像データを前記第３の記録手段に記録するようにしてもよい。
【０００９】
上記目的達成のため、請求項３記載の発明による画像データ記録システムは、装着部に対して着脱可能とする第１の記録手段を用いて、デジタルカメラに記録されている画像データを画像記録装置に記録する画像データ記録システムであって、
前記デジタルカメラは、
所定識別情報を設定する設定手段と、
第２の記録手段に記録されている画像データ及び前記設定手段に設定された所定識別情報を暗号化する暗号化手段と、
前記暗号化手段によって暗号化された画像データ及び所定識別情報を前記第１の記録手段に記録する第１の記録制御手段と、
を備え、
前記画像記録装置は、
ユーザが識別情報を入力するための入力手段と、
前記第１の記録手段に記録されている暗号化された画像データ及び所定識別情報を解凍する解凍手段と、を有し、
前記入力手段により入力された識別情報と、前記解凍手段によって解凍された所定識別情報とが一致するか否かを判断する一致判断手段と、
前記一致判断手段により一致と判断された場合には、前記第１の記録手段に記録されている暗号化された画像データを前記解凍手段によって解凍する解凍制御手段と、前記解凍手段によって解凍された画像データを第３の記録手段に記録する第２の記録制御手段と、
を備えたことを特徴とする。
【００１０】
上記目的達成のため、請求項４記載の発明によるデジタルカメラは、被写体を撮影する撮影手段と、
前記撮影手段により撮影された画像データを第１の記録手段に記録する第１の記録制御手段と、を備えたデジタルカメラであって、
所定識別情報を設定する設定手段と、
ユーザが識別情報を入力するための入力手段と、
前記入力手段により入力された識別情報と、前記設定手段に設定された所定識別情報とが一致するか否かを判断する一致判断手段と、
前記一致判断手段により一致したと判断した場合には、前記第１の記録手段に記録されている画像データを、装着部に対して着脱可能とする第２の記録手段に記録する第２の記録制御手段と、
を備えたことを特徴とする。
【００１１】
また、例えば、請求項５に記載されているように、前記第２の記録制御手段は、
前記第１の記録手段に記録されているすべての画像データを前記第２の記録手段に記録するようにしてもよい。
また、請求項６に記載されているように、前記第２の記録手段が前記装着部に装着されたか否かを判断する第１の判断手段と、
前記第１の記録手段に画像データが記録されているか否かを判断する第２の判断手段と、
前記入力手段により識別情報が入力されたか否かを判断する第３の判断手段とを備え、
前記一致判断手段は、前記第１の判断手段により装着されたと判断され、且つ前記第２の判断手段により画像データが記録されていると判断され、且つ前記第３の判断手段により識別情報が入力されたと判断された場合に、前記入力手段により入力された識別情報と、前記設定手段に設定された所定識別情報とが一致するか否かを判断するようにしてもよい。
【００１２】
上記目的達成のため、請求項７記載の発明によるデジタルカメラは、被写体を撮影する撮影手段と、
前記撮影手段により撮影された画像データを第１の記録手段に記録する第１の記録制御手段と、を備えたデジタルカメラであって、
所定識別情報を設定する設定手段と、
前記第１の記録手段に記録されている画像データ及び前記設定手段に設定された所定識別情報を暗号化する暗号化手段と、
前記暗号化手段により暗号化された画像データ及び所定識別情報を、装着部に対して着脱可能とする第２の記録手段に記録する第２の記録制御手段と、
を備えたことを特徴とする。
【００１３】
また、例えば、請求項８に記載されているように、前記第２の記録手段が前記装着部に装着されたか否かを判断する判断手段を備え、
前記暗号化手段は、前記判断手段により装着されたと判断した場合には、
前記第１の記録手段に記録されている画像データ及び前記設定手段に設定された所定識別情報を暗号化し、
前記第２の記録制御手段は、
該暗号化された画像データ及び所定識別情報を前記第２の記録手段に記録するようにしてもよい。
【００１４】
また、例えば、請求項９に記載されているように、前記暗号化手段は、
前記第１の記録手段に記録されているすべての画像データを暗号化し、
前記第２の記録制御手段は、
該暗号化されたすべての画像データを前記第２の記録手段に記録するようにしてもよい。
また、請求項１０に記載されているように、前記設定手段は、
ユーザによって任意に設定することができるようにしてもよい。
【００１５】
上記目的達成のため、請求項１１記載の発明による画像データ記録装置は、装着部に対して着脱可能とする第１の記録手段に記録されている暗号化された画像データ及び所定識別情報を解凍する解凍手段と、
ユーザが識別情報を入力するための入力手段と、
を備え、
前記入力手段により入力された識別情報と、前記解凍手段によって解凍された所定識別情報とが一致するか否かを判断する一致判断手段と、
前記一致判断手段により一致と判断された場合には、前記第１の記録手段に記録されている暗号化された画像データを前記解凍手段によって解凍する解凍制御手段と、前記解凍手段によって解凍された画像データを第２の記録手段に記録する記録制御手段と、
を備えたことを特徴とする。
【００１６】
また、例えば、請求項１２に記載されているように、前記解凍手段は、
前記第１の記録手段に記録されているすべての画像データを解凍し、
前記記録制御手段は、
該解凍されたすべての画像データを前記第２の記録手段に記録するようにしてもよい。
また、請求項１３に記載されているように、前記第１の記録手段が前記装着部に装着されたか否かを判断する第１の判断手段と、
前記入力手段により識別情報が入力されたか否かを判断する第２の判断手段とを備え、
前記一致判断手段は、前記第１の判断手段により装着されたと判断され、且つ前記第２の判断手段により識別情報が入力されたと判断された場合に、前記入力手段により入力された識別情報と、前記解凍手段によって解凍された所定識別情報とが一致するか否かを判断するようにしてもよい。
【００１７】
また、例えば、請求項１４に記載されているように、前記第２の記録手段に画像データを記録するためのフォルダを登録する登録手段を備え、
前記記録制御手段は、
前記登録手段により登録されたフォルダに画像データを記録するようにしてもよい。
また、請求項１５に記載されているように、前記記録制御手段は、
前記登録手段により登録されたフォルダに画像データを記録する際に、該登録されたフォルダの中に日付フォルダを設け、その日付フォルダの中に該画像データを記録するようにしてもよい。
また、請求項１６に記載されているように、前記日付フォルダの日付は、
画像データを前記第２の記録手段に記録する時の日時であるようにしてもよい。
【００１８】
上記目的達成のため、請求項１７記載の発明によるプログラムは、被写体を撮影する撮影手段と、
前記撮影手段により撮影された画像データを第１の記録媒体に記録する第１の記録制御手段と、を備えたデジタルカメラを実行させるプログラムであって、
所定識別情報を設定する設定処理と、
ユーザによって識別情報が入力されたか否かを判断する判断処理と、
前記判断処理により入力されたと判断された識別情報と、前記設定処理により設定された所定識別情報とが一致するか否かを判断する処理と、
この処理により一致したと判断した場合には、前記第１の記録媒体に記録されている画像データを、装着部に対して着脱可能とする第２の記録媒体に記録する処理と、
を含み、上記各処理をデジタルカメラで実行させることを特徴とする。
【００１９】
上記目的達成のため、請求項１８記載の発明によるプログラムは、被写体を撮影する撮影手段と、
前記撮影手段により撮影された画像データを第１の記録媒体に記録する第１の記録制御手段と、を備えたデジタルカメラを実行させるプログラムであって、
所定識別情報を設定する設定処理と、
前記第１の記録媒体に記録されている画像データ及び前記設定処理により設定された所定識別情報を暗号化する処理と、
この処理により暗号化された画像データ及び所定識別情報を、装着部に対して着脱可能とする第２の記録媒体に記録する処理と、
を含み、上記各処理をデジタルカメラで実行させることを特徴とする。
【００２０】
上記目的達成のため、請求項１９記載の発明によるプログラムは、装着部に対して着脱可能とする第１の記録媒体に記録されている暗号化された画像データ及び所定識別情報を解凍する解凍処理と、
ユーザによって識別番号が入力されたか否かを判断する判断処理と、
を含み、
前記判断処理により入力されたと判断された識別情報と、前記解凍処理によって解凍された所定識別情報とが一致するか否かを判断する処理と、
この処理により一致と判断された場合には、前記第１の記録媒体に記録されている暗号化された画像データを前記解凍処理によって解凍し、該解凍処理によって解凍された画像データを第２の記録媒体に記録する処理と、
を含み、上記各処理をコンピュータで実行させることを特徴とする。
【発明の効果】
【００２１】
請求項１記載の発明によれば、ユーザによって入力された識別番号と所定識別番号とが一致するか否かを判断するので、画像データの不正コピーを防止することができ、画像データの秘密性を保持することができる。
また、画像データ毎にパスワードをかける必要もないので、コピーデータの利用時のユーザの手間を省くこともできる。
請求項２記載の発明によれば、第１の記録手段が装着されると、画像データをコピーする処理が開始されるので、簡単にすばやくコピーを行なうこともできる。
【００２２】
請求項３記載の発明によれば、画像データを暗号化するので画像データの不正利用を防止することができる。また、ユーザによって入力された識別番号と所定識別番号が一致する場合のみ、暗号化された画像データを解凍し、該解凍された画像データをコピーするので、不正コピーを防止することができ、画像データの秘密性を保持することができる。
また、第１の記録手段を落としたり、なくしたりしても、第３者は記録されている画像データを見たり、利用したりすることができないので、ユーザはかかる場合でも安心することができる。
また、画像データ毎にパスワードをかける必要もないので、コピーデータの利用時のユーザの手間を省くことができる。
【００２３】
請求項４記載の発明によれば、入力された識別番号と所定識別番号が一致するか否かを判断し、一致しない場合には画像データのコピーを行わないので、第三者の不正コピーを防止することができ、画像データの秘密性を保持することができる。
請求項５記載の発明によれば、一致したと判断した場合には、第２の記録手段に記録されているすべての画像データを第１の記録手段に記録するので、簡単に大量の画像データをコピーすることができる。
【００２４】
請求項６記載の発明によれば、第２の記録手段が装着されなければ、コピーする処理が開始されないので、無駄な処理をなくすことができる。
また、第２の記録手段が装着されたとしても、コピーの対象となる画像データがなければコピーする処理が開始されないので、無駄な処理をなくすことができる。
また、識別番号が入力されなければ、識別番号が適正か否かの判断を行なわないので無駄な処理をなくすことができる。
【００２５】
請求項７記載の発明によれば、コピーする画像データを暗号化してコピーするので、第３者の不正利用を防止することができる。また、ユーザは該画像データを記録したメモリを落としたり、なくしたりしても、第３者はその画像データを利用等することができないので、ユーザはかかる場合でも安心することができ、画像データの秘密性を保持することができる。
請求項８記載の発明によれば、第１の記録手段が装着されると、画像データをコピーする処理が開始されるので、簡単にすばやくコピーを行なうこともできる。
【００２６】
請求項９記載の発明によれば、第２の記録手段に記録されているすべての画像データを暗号化して第１の記録手段に記録するので、簡単に大量の画像データをコピーすることができる。
請求項１０記載の発明によれば、所定識別番号をユーザによって任意に設定することができるので、ユーザの好きな所定識別番号に設定することができる。
また、ユーザだけがその所定識別番号を知っているので、第３者の不正利用、不正コピーを確実に防止することができ、画像データの秘密性を保持することができる。
【００２７】
請求項１１記載の発明によれば、入力されたパスワードと第１の記録手段に記録されているパスワードとが一致していなければ、第１の記録手段に記録されている暗号化された画像データを解凍してコピーすることできないので、第３者の不正利用を確実に防止することができ、秘密性を保持することができる。
請求項１２記載の発明によれば、第１の記録手段に記録されている暗号化されたすべての画像データを解凍し、解凍したすべての画像データをコピーするので、簡単に大量の画像データをコピーすることができる。
【００２８】
請求項１３記載の発明によれば、第１の記録手段が装着されなければ、コピーする処理が開始されないので、無駄な処理をなくすことができる。
また、第１の記録手段が装着されたとしても、識別番号が入力されなければ、識別番号が適正か否かの判断を行なわないので、無駄な処理をなくすことができる。
【００２９】
請求項１４記載の発明によれば、予め登録されたフォルダに自動的に画像データをコピーするので、ユーザの手間を軽減することができる。
請求項１５又１６は記載の発明によれば、予め登録されたフォルダに自動的にコピーする場合には、該フォルダの下に日付フォルダを作成し、この日付フォルダの中に画像データをコピーするので、分類整理が容易となる。
また、この日付フォルダの日付を見ることにより、いつコピーしたものかを容易に認識することができ、利用時にも便利である。
【００３０】
請求項１７又は１８記載の発明によれば、既存のデジタルカメラに読み込ませることにより、本発明のデジタルカメラを実現することができる。
請求項１９記載の発明によれば、既存のパソコン等に読み込ませることにより、本発明の画像データ記録装置を実現することができる。
【発明を実施するための最良の形態】
【００３１】
以下、本実施の形態について、図面を参照して詳細に説明する。
[第１の実施の形態]
Ａ．デジタルカメラの構成
図１は、本発明のデジタルカメラを実現するデジタルカメラ１の電気的な概略構成を示すブロック図である。
デジタルカメラ１は、ＣＣＤ２、ＣＰＵ３、ＴＧ（timing generator）４、ユニット回路５、ＤＲＡＭ６、ＲＡＭ７、ＲＯＭ８、フラッシュメモリ９、画像表示部１０、キー入力部１１、カードＩ／Ｆ１２を備えており、カードＩ／Ｆ１２には、図示しないデジタルカメラ１本体のカードスロットに着脱自在に装着されたメモリ・カード１３が接続されている。
【００３２】
ＣＣＤ２は、投影された被写体を光電変換し、撮像信号としてユニット回路５に出力する。また、ＣＣＤ２はＴＧ４によって生成された所定周波数のタイミング信号に従って駆動される。ＴＧ４にはユニット回路５が接続されている。ユニット回路５は、ＣＣＤ２から出力される撮像信号を相関二重サンプリングして保持するＣＤＳ（Correlated Double sampling）回路、その撮像信号を増幅するゲイン調整アンプ（ＡＧＣ）、増幅後の撮像信号をデジタル信号に変換するＡ／Ｄ変換器から構成されており、ＣＣＤ２の出力信号はユニット回路５を経てデジタル信号としてＣＰＵ２に送られる。
【００３３】
画像表示部１０はカラーＬＣＤとその駆動回路を含み、撮影待機状態にあるときにはＣＣＤ２によって撮像された被写体画像としてスルー画像として表示し、記録画像の再生時には、保存用メモリ・カード１３から読み出され伸張された記録画像を表示する。
キー入力部１１は、実行キー、キャンセルキー、「↑」、「↓」、「→」、「←」ボタン等のカーソルキー、モードキー等の複数の操作キーを含み、ユーザのキー操作に応じた操作信号をＣＰＵ２に出力する。
ＤＲＡＭ６は、ＣＣＤ２によって撮像された後、デジタル化された被写体の画像データを一時記憶するバッファメモリとして使用されるとともに、ＣＰＵ２にワーキングメモリとしても使用される。
フラッシュメモリ９は、撮影した画像データが格納されるところである。フラッシュメモリ９は、本発明の第１の記録手段又は第２の記録手段に相当する。
【００３４】
ＣＰＵ３は、画像ファイルの圧縮・伸張の処理を含む各種のデジタル信号処理機能を有するとともにデジタルカメラ２１の各部を制御するワンチップマイコンである。
特に、ＣＰＵ３は、メモリ・カード１３（第１の記録手段又は第２の記録手段）がデジタルカメラのカードスロットに装着され、カードＩ／Ｆ１２と接続されたか否かを判断する。この機能は、本発明の判断手段又は第１の判断手段に相当する。
そして、ＣＰＵ３は、メモリ・カード１３が接続されたと判断すると、内蔵データがあるか否かを判断し（第２の判断手段）、ある場合には内蔵データをメモリ・カード１３にコピーするか否かの判断を行う。具体的には、図５（ｂ）に示すように、画像表示部１０に「内蔵データをメモリ・カードにコピーしますか？」、「はい」、「いいえ」等の表示をさせる。ここで、内蔵データとは、フラッシュメモリ９に記録されている画像データのことである。
図５は、デジタルカメラ１の裏側を表わす図である。図５（ａ）に示してあるように、キー入力部１１の「↑」、「↓」、「→」、「←」ボタンのカーソルキー、実行キー、キャンセルキーを含む４１部と画像表示部１０で構成されている。この４１部が、本発明の入力手段に相当する。
【００３５】
そして、ユーザがキー入力部１１により「はい」を選択する旨の操作を行うと、その操作に応じた操作信号をキー入力部１１はＣＰＵ３に送る。
そして、ＣＰＵ３はその「はい」を選択する旨の操作信号を受け取ると、内蔵データをメモリ・カード１３にコピーすると判断し、図５（ｃ）に示すように、画像表示部１０に「パスワードを入力してください」等の表示をさせる。
そして、ユーザがキー入力部１１の操作により、パスワードを入力し、実行キーが押されると、ＣＰＵ３は、パスワードが入力されたと判断し（第３の判断手段）、予め設定されているパスワードと入力されたパスワードとを比較する。
なお、ＣＰＵ３は、ＲＯＭ８に予め記録設定されているパスワードと入力されたパスワードとを比較するようにしてもよいし、ユーザがキー入力部１１の操作により入力してフラッシュメモリ９に記録設定した任意のパスワードと入力されたパスワードとを比較するようにしてもよい。この予めパスワードを設定する機能は、本発明の設定手段に相当する。
【００３６】
そして、ＣＰＵ２は、比較したパスワードが一致するか否かを判断する。この機能は、本発明の一致判断手段に相当する。
ＣＰＵ３は、一致すると判断した場合は、フラッシュメモリ９に記録されているすべての画像データをメモリ・カード１３（第１の記録手段又は第２の記録手段）にコピーする。この機能は、本発明の第１の記録制御手段又は第２の記録制御手段に相当する。パスワードが正しく入力されていない場合は、メモリ・カード１３にコピーをせずに処理を終了する。
これにより、ユーザ以外の人が、内蔵データをメモリ・カード１３にコピーする、不正コピーを防ぐことが可能となる。
ＲＡＭ７、ＲＯＭ８には、ＣＰＵ３による各部の制御に必要なプログラム及びパスワード等の必要なデータが格納されており、ＣＰＵ２３は、このプログラムに従い動作することにより、本発明の判断手段、設定手段、一致判断手段、第１の記録制御手段として機能する。
また、ＣＣＤ２、ＣＰＵ３、ＴＧ４、ユニット回路５、ＤＲＡＭ６、ＲＡＭ７、ＲＯＭ８は、本発明の撮影手段に相当し、ＣＰＵ３、ＤＲＡＭ６、フラッシュメモリ９は、本発明の第１の記録制御手段に相当する。
次に、この画像データをコピー（記録）したメモリ・カード１３をパソコン２１に装着することにより、メモリ・カード１３（第１の記録手段）に記録されたすべての画像データをパソコン２１のハードディスク２６（第３の記録手段）に記録する。つまり、デジタルカメラ１に記録されていた画像データをパソコン２１にコピーすることが可能となる。
以下、パソコン２１の構成について説明する。
【００３７】
Ｂ．パソコンの構成
図２は、本発明の画像データ記録装置を実現するパソコン２１の電気的な概略構成を示すブロック図である。
パソコン２１は、ＣＰＵ２２、画像表示装置２３、キーボード２４、マウス２５、ハードディスク２６、メモリ２７、ＲＯＭ２８、Ｉ／Ｏポート２９、カードＩ／Ｆ２９、を備えており、カードＩ／Ｆ２９は、図示しないパソコン２１本体のカードスロットを介してデジタルカメラ１の内蔵データ（画像データ）がコピーされたメモリ・カード１３が接続されている。
【００３８】
画像表示装置２３はＣＲＴディスプレイであり、ウィンドウ、読み出された画像ファイルの画像等を表示する。
キーボード２４、マウス２５は、各操作キーを含み、キー操作に応じた操作信号をＣＰＵ２２に送る。
ハードディスク２６には、画像データ、動画データ、ワードデータ等の複数のデータを記録している。ハードディスク２６は、本発明の第２の記録手段又は第３の記録手段に相当する。
メモリ６は、デジタル化された画像データを一時記憶するバッファメモリであるとともに、ＣＰＵ２のワーキングエリアとしても使用される。
【００３９】
ＣＰＵ２２は、画像ファイルの画像データの圧縮、伸張等の処理を含む各種のデジタル信号処理機能を有するとともにパソコン２１の各部を制御する。
特に、ＣＰＵ２２は、パソコン２１本体のカードスロットにメモリ・カード１３が装着され、カードＩ／Ｆ２９と接続されたか否かを判断する。この機能は、本発明の判断手段又は第１の判断手段に相当する。
ＣＰＵ２２は、メモリ・カード１３が接続されたと判断すると、メモリ・カード１３に記録されている画像データをハードディスク２６にコピーするか否かを判断する。具体的には、まず、図６の（ａ）に示すように、画像表示装置２３に、「カードを認識しました。コピーを開始しますか？」等のツール表示を行う。
【００４０】
そして、ユーザがキーボード２４及びマウス２５の操作により、コピーする旨の操作（「はい」をマウス２５でクリック）を行うと、その操作に応じた操作信号をＣＰＵ２２に送る。また、コピーしない旨の操作（「いいえ」をマウスでクリック）を行うと、その操作に応じた操作信号をＣＰＵ２２に送る。
ＣＰＵ２２は、コピーする旨の操作信号を受け取ると、メモリ・カード１３に記録されている画像データをハードディスク２６にコピーすると判断し、図６の（ｂ）に示すようにコピー先フォルダ選択ツールを画像表示装置２３に表示させる。コピーした画像データの分類を容易にするためである。一方、コピーしない旨の操作信号を受け取るとデータコピーの処理を終了する。
【００４１】
画像表示装置２３にハードディスク２６のコピー先のフォルダ選択ツールが表示されると、ユーザはキーボード２４及びマウス２５の操作により、保存先のフォルダ等を選択及び入力する。そして、ユーザが「保存（Ｓ）」クリックすると、ＣＰＵ２２はその操作に応じた操作信号を受け取り、指定されたフォルダにメモリ・カード１３に記録された全ての画像データのコピーを行う。この機能は、本発明の記録制御手段又は第２の記録制御手段に相当する。
一方、「キャンセル」をクリックすると、ＣＰＵ２２は、ユーザがデータコピーをする意思がないと判断し、再度確認のため画像表示装置２３に「データをコピーしますか？」等のツール表示を行う。なお、「キャンセル」がクリックされた時点でデータ転送処理を終了するようにしてもよい。
ＲＯＭ２８は、ＣＰＵ２２による各部の制御に必要な制御プログラム及び各部制御に必要なデータが記録されており、ＣＰＵ２２は、このプログラムに従い動作することにより、本発明の判断手段、第３の記録制御手段として機能する。
【００４２】
Ｃ．デジタルカメラの動作
デジタルカメラ１の動作を図３のフローチャートにしたがって説明する。
ステップＳ１で、デジタルカメラ１のカードスロットにメモリ・カード１３が挿入されたか否かの判断が行なわれる。この判断は、メモリ・カード１３がカードＩ／Ｆ１２と接続されたか否かにより判断する。そして、メモリ・カード１３が挿入された場合はステップＳ２に進み、挿入されていない場合はステップＳ１に留まる。
【００４３】
ステップＳ２に進むと、デジタルカメラ１のフラッシュメモリ９に画像データ（内蔵データ）が記録されているか否かを判断する。内蔵データがある場合はステップＳ３に進み、内蔵データがない場合には、コピーする対象がないので、データコピーの処理を終了する。
ステップＳ３に進むと、内蔵データをメモリ・カード１３にコピーするか否かの判断が行なわれる。具体的には、図５（ｂ）に示すように、画像表示部１０に「内蔵データをコピーしますか？」、「はい」、「いいえ」というような表示を行なう。そして、ユーザのキー入力部１１の操作により、「はい」が選択されると、内蔵データ（フラッシュメモリ９に記録されている画像データ）をメモリ・カード１３にコピーすると判断し、「いいえ」が選択されると、内蔵データをコピーしないと判断する。
そして、「はい」が選択された場合はステップＳ４に進み、「いいえ」が選択された場合には、データコピーの処理を終了する。
【００４４】
ステップＳ４に進むと、図５（ｃ）に示すように、画像表示部１０に「パスワードを入力してください」というような表示が行なわれる。
次いで、ステップＳ５に進み、ユーザのキー入力部１１の操作により、パスワードが入力されたか否かの判断が行なわれる。
ここで、ユーザのパスワードの入力方法としては、例えば、カーソルキーの操作により入力をする。具体的には、「↓」ボタンを押していくと「１、２、３、・・・・、９、０」と数字が切り替わり、逆に「↑」ボタンを押していくと、「０、９、８、・・・・、２、１」と切り替わる。また、「→」ボタンを押すと、入力する数字のスペースが右に移り、「←」ボタンを押すと、入力する数字のスペースが右に移る。このようにして、カーソルキーを操作することによりユーザは、画像データのコピーに必要なパスワードを入力する。そして、パスワードの入力が完了したら実行キーを押す。
【００４５】
実行キーが押されると、パスワードが入力されたと判断し、ステップＳ６に進む。実行キーが押されていない場合には、パスワードが入力されていないと判断し、実行キーが押されるまでステップＳ５に留まる。
ステップＳ６に進むと、入力されたパスワードとＲＡＭ７又はＲＯＭ８に予め記録され設定されているパスワードとの比較が行なわれる。なお、ユーザがパスワードを任意に設定できるようにしてもよい。これにより、ユーザ以外の他人がデジタルカメラ１に記録されている画像データの不正コピーを確実に防ぐことが可能となる。
次いで、ステップＳ７に進み、比較したパスワードが一致するか否かの判断が行なわれ、一致している場合はステップＳ８に進み、一致していない場合には、データコピーの処理を終了する。画像データの不正コピー等を防止するためである。
ステップＳ８に進むと、フラッシュメモリ９に記憶されているすべての画像データがメモリ・カード１３にコピーされる。
【００４６】
Ｄ．パソコンの動作
次に、パソコン２１の動作を図４のフローチャートにしたがって説明する。
まず、ユーザは、図３のステップＳ７でメモリ・カード１３に記録した画像データをパソコン２１に記録するために、メモリ・カード１３をデジタルカメラ１から取り外し、パソコン２１のカードスロットに装着する。
ステップＳ１１で、パソコン２１のカードスロットにメモリ・カード１３が挿入されたか否かの判断が行なわれる。この判断は、メモリ・カード１３がカードＩ／Ｆ２９と接続されたか否かを判断する。そして、メモリ・カード１３が挿入された場合は、ステップＳ１２に進み、挿入されていない場合には、ステップＳ１１に留まる。
【００４７】
ステップＳ１２に進むと、メモリ・カード１３に記録されている画像データをハードディスク２６にコピーするか否かの判断が行なわれる。具体的には、画像表示装置２３に図６（ａ）のような、画像転送ツールが表示される。画像転送ツールには「コピーを開始しますか？」というような文章を表示する。そして、ユーザがキーボード２４及びマウス２５の操作により、「はい」を選択した場合は、画像データをコピーすると判断し、ステップＳ１３に進む。一方、「いいえ」を選択した場合には、コピーしないと判断し、データコピーの処理を終了する。
【００４８】
ステップＳ１３に進むと、図６（ｂ）に示すような、コピー先フォルダ選択ツールが画像表示装置３０に表示される。そして、画像データのコピー先が指定されたか否かの判断が行なわれる。この判断は、ユーザがキーボード２４及びマウス２５の操作により、画像データの保存先等を選択又は入力した後、「保存（Ｓ）」がクリックされたか否かにより判断する。「保存（Ｓ）」がクリックされた場合には、コピー先が指定されたと判断しステップＳ１４に進み、「保存（Ｓ）」がクリックされていない場合は、クリックされるまでステップＳ１４に止まる。
【００４９】
なお、図４のフローチャートには示していないが、「キャンセル」がクリックされた場合には、ユーザがコピーする意思がいないと判断し、データコピーの処理を終了する。また、ステップＳ１２に戻り、再度確認のためコピーをするか否かの判断を行なうようにしてもよい。
ステップＳ１４に進むと、メモリ・カード１３に記録されているすべての画像データをパソコン２１のハードディスク２６にコピー（記録）する。そして、データコピーの処理を終了する。
【００５０】
Ｅ．このように、デジタルカメラ１のカードスロットにメモリ・カードが装着されると、デジタルカメラ１のフラッシュメモリ９に記録されているすべての画像データを装着されたメモリ・カード１３にコピーするか否かを判断し、コピーすると判断した場合には、ユーザにパスワードを入力させる。そして、入力されたパスワードと予め設定されているパスワードとを比較し、一致するか否かを判断する。
一致している場合には、フラッシュメモリ９に記録されているすべての画像データをメモリ・カード１３に記録し、一致していない場合には、データコピー処理を終了する。
【００５１】
そして、デジタルカメラ１のフラッシュメモリ９に記録されているすべての画像データ記録したメモリ・カード１３をデジタルカメラから取り外し、該メモリ・カード１３をパソコン２１のカードスロットに装着する。すると、パソコン２１はメモリ・カード１３に記録されているすべての画像データをパソコン２１のハードディスク２６にコピーするか否かを判断し、コピーすると判断した場合は、ユーザに画像データの保存先を指定させる。そして、該指定された保存先にメモリ・カード１３に記録されているすべての画像データをコピーする。
【００５２】
Ｆ．以上のように、第１の実施の形態においては、デジタルカメラ１は、メモリ・カード１３がカードスロットに装着され、カードＩ／Ｆ１２と接続されると、パスワードの入力を要求し、入力されたパスワードと予め設定されたパスワードとが一致する場合には、デジタルカメラ１に記録されている全ての画像データをメモリ・カード１３に記録するので、デジタルカメラ１内の画像データの不正コピーを防止することができ安全にコピーを行なうことができる。
また、従来のデータ毎にパスワードをかける必要もないので、コピーデータの利用時のユーザの手間を省くことができる。
また、メモリ・カード１３が装着されると、データのコピー処理を開始するので、ユーザがデータをコピーする手間を省くことができ、簡単にすばやくコピーを行うこともできる。
【００５３】
［第２の実施の形態］
次に、第２の実施の形態について説明する。
第２の実施の形態は、デジタルカメラ側では、パスワードの比較一致の判断を行わず、デジタルカメラの内蔵データのすべての画像データ及び予め設定されているパスワードを暗号化して、該暗号化したデータとパスワードをメモリ・カード１３に記録するというものである。
そして、パソコン側で、メモリ・カード１３に記録されている暗号化されたパスワードを解凍し、ユーザによって入力されたパスワードと解凍されたパスワードとを比較し、一致する場合には、メモリ・カード１３に記録されている暗号化された画像データを解凍する。そして、該解凍された画像データをＰＣ側に記録するというものである。
【００５４】
Ｇ．デジタルカメラ１及びパソコン２１の構成
第２の実施の形態も、図１に示したものと同様の構成を有するデジタルカメラ１及び図２に示したものと同様の構成を有するパソコン２１を用いる。
第２の実施の形態におけるデジタルカメラ１及びパソコン２１の構成の機能は、第１の実施の形態とほぼ同一であるが、以下の点で構成の機能が異なる。
デジタルカメラ１について
ＲＯＭ８には、更に、データの暗号化処理を行うプログラムも記録されている。
ＣＰＵ３は、カードＩ／Ｆ１２とメモリ・カード１３（第１の記録手段）とが接続され、デジタルカメラ１に内蔵データ（フラッシュメモリ９に記録されているデータ）があり、ユーザのキー入力部１１の操作によりデータコピーするとの操作が行われると、ＣＰＵ３は、フラッシュメモリ９（第２の記録手段）に記録されている画像データをメモリ・カード１３にコピーすると判断し、内蔵データのすべての画像データ及び予め設定されているパスワードをＤＲＡＭ６に記憶する。そして、該記憶した画像データ及びパスワードをＲＯＭ８に記録されたプログラムにより暗号化する。この機能は、本発明の暗号化手段に相当する。
そして、暗号化されたデータ及びパスワードをカードＩ／Ｆ１２を介してメモリ・カード１３（第１の記録手段）に記録する。この機能は、本発明の第１の記録制御手段に相当する。
【００５５】
パソコン２１について
ＲＯＭ２８には、更に、暗号化されたデータを解凍するプログラムが記録されている。
ＣＰＵ２２は、カードＩ／Ｆ２９とメモリ・カード１３とが接続され、ユーザのキーボード２４及びマウス２５の操作によりデータをコピーするとの操作が行われると、ＣＰＵ２２は、画像表示装置２３に、図６（ｃ）に示すような「パスワードを入力してください」等の表示を行なう。ここで、キーボード２４及びマウス２５は、本発明の入力手段に相当する。
そして、ユーザによりパスワードの入力が行なわれたと判断すると（第２の判断手段）、メモリ・カード１３に記録されている暗号化されたパスワードをメモリ２７に記憶する。そして、該記憶した暗号化されたパスワードをＲＯＭ２８に記録されているプログラムにより解凍する。この機能は、本発明の解凍手段に相当する。
そして、該解凍したパスワードと入力されたパスワードとを比較し、一致するか否かの判断を行なう。この機能は、本発明の一致判断手段に相当する。
【００５６】
ＣＰＵ２２は、一致すると判断すると、図６（ｂ）に示すような、コピー先を指定させるためのコピー先フォルダ選択ツールを画像表示装置に表示させ、ユーザにデータのコピー先のフォルダを選択又は入力させる。ユーザのキーボード２４及びマウス２５の操作によりコピー先が選択又は入力され、「保存（Ｓ）」がクリックされると、ＣＰＵ２２はその操作に応じた操作信号を受け取り、メモリ・カード１３に記録されている暗号化された画像データをメモリ２７に記憶する。そして、該記憶した暗号化された画像データをＲＯＭ２８に記録されているプログラムにより解凍する。この機能は、本発明の解凍制御手段に相当する。そして、解凍された画像データを指定されたフォルダにコピーする。この機能は、本発明の記録制御手段又は第２の記録制御手段に相当する。
一方、「キャンセル」がクリックされると、ＣＰＵ２２はその操作に応じた操作信号を受け取り、データコピーの処理を終了する。
【００５７】
Ｈ．デジタルカメラ１の動作
デジタルカメラ１の動作を図７のフローチャートにしたがって説明する。
ステップＳ２１で、デジタルカメラ１のカードスロットにメモリ・カード１３が挿入されたか否かの判断が行なわれる。この判断は、メモリ・カード１３がカードＩ／Ｆ１２と接続されたか否かにより判断する。メモリ・カード１３が挿入された場合はステップＳ２２に進み、挿入されていない場合はステップＳ２１に留まる。
ステップＳ２２に進むと、内蔵データがあるか否か、つまり、フラッシュメモリ９に画像データが記録されているかを判断する。内蔵データがあると判断すると、ステップＳ２３に進み、内蔵データがないと判断すると、コピーを行なう対象がないので、データコピー処理を終了する。
【００５８】
ステップＳ２３に進みと、内蔵データをメモリ・カード１３にコピーするか否かの判断が行なわれる。具体的には、図５（ｂ）に示すように、画像表示部１０に「内蔵データをコピーしますか」、「はい」、「いいえ」というような表示を行なう。そして、ユーザのキー入力部１１の操作により、「はい」が選択されると内蔵データをメモリ・カード１３にコピーすると判断し、「いいえ」が選択されると内蔵データをコピーしないと判断する。
そして、「はい」が選択された場合は、ステップＳ２４に進み、「いいえ」が選択された場合は、データコピーの処理を終了する。
【００５９】
ステップＳ２４に進むと、内蔵データ及び予め設定されているパスワードをＤＲＡＭ６に記憶し、該記憶した画像データ及びパスワードの暗号化処理を行う。暗号化処理は、ＲＯＭ７に記録されている暗号化処理を行うプログラムによって行う。
次いで、ステップＳ２５に進むと、該暗号化した画像データ及びパスワードをカードＩ／Ｆ１２を介して、メモリ・カード１３に記録する。これにより、第３者はデジタルカメラ１の内蔵データをメモリ・カードにコピーすることはできるが、暗号化されてコピーが行なわれるので、その内容を見ることができず、画像データの不正利用を防止することができ、画像データの秘密性を保持することができる。
【００６０】
Ｉ．パソコン２１の動作
パソコン２１の動作を図８のフローチャートにしたがって説明する。
ユーザは、デジタルカメラ１に記録されている内蔵データをパソコン２１に記録するため、該内蔵データを暗号化して記録したメモリ・カード１３をパソコン２１にカードスロットに装着する。
ステップＳ３１で、パソコン２１のカードスロットにメモリ・カード１３が挿入されたか否かの判断が行なわれる。この判断は、メモリ・カード１３がカードＩ／Ｆ２９と接続されたか否かを判断する。そして、メモリ・カード１３が挿入された場合はステップＳ３２に進み、挿入されていない場合はステップＳ３１に留まる。
【００６１】
ステップＳ３２に進むと、メモリ・カード１３に記録されている画像データをハードディスク２６にコピーするか否かの判断が行なわれる。具体的には、画像表示装置２３に図６（ａ）のような、画像転送ツールが表示される。画像転送ツールには、「コピーを開始しますか？」というような文章を表示する。そして、ユーザがキーボード２４及びマウス２５の操作により、「はい」を選択した場合は、画像データをコピーすると判断し、ステップＳ３３に進む。一方、「いいえ」を選択した場合にはコピーしないと判断し、データのコピー処理を終了する。
【００６２】
ステップＳ３３に進むと、画像表示装置２３に図６（ｃ）に示すようなパスワード入力ツールが表示される。パスワード入力ツールには、「パスワードを入力してください」というような文章が表示され、パスワード入力欄、「ＯＫ」、「キャンセル」が表示される。
次いで、ステップＳ３４に進み、パスワードが入力されたか否かの判断を行なう。
ユーザは、キーボード２４の操作によりパスワードを入力し、「ＯＫ」をキーボード２４及びマウス２５で選択すると、パスワードが入力されたと判断し、ステップＳ３５に進み、「ＯＫ」が選択されていない場合には、選択されるまでステップＳ３４に留まる。
なお、図８のフローチャートには示していないが、「キャンセル」が選択された場合には、データのコピー処理を終了する。また、再度確認のため、ステップＳ３２に戻り、データのコピーを行なうか否かを判断するようにしてもよい。
【００６３】
ステップＳ３５に進むと、メモリ・カード１３に記録されている暗号化されたパスワードを読み出し、解凍する。そして、解凍されたパスワードと入力されたパスワードとを比較する。
次いで、ステップＳ３６に進み、該比較したパスワードが一致するか否かの判断を行なう。一致している場合にはステップＳ３７に進み、一致していない場合は不正と判断し、データコピーの処理を終了する。
ステップＳ３７に進むと、コピー先が指定されたか否かの判断を行なう。具体的には、図６（ｂ）に示すような、コピー先フォルダ選択ツールを画像表示装置３０に表示させる。そして、ユーザのキーボード２４及びマウス２５の操作により、画像データの保存先等が選択又は入力され、「保存（Ｓ）」がクリックされた場合には、コピー先が指定されたと判断しステップＳ３８に進む。
「保存（Ｓ）」がクリックされていない場合には、「保存（Ｓ）」クリックされるまでステップＳ３７に留まる。
なお、図８のフローチャートに示していないが、「キャンセル」が選択された場合には、データをコピーする意思がいないと判断し、データのコピー処理を終了する。
【００６４】
ステップＳ３８に進むと、メモリ・カード１３に記録され、暗号化されている画像データを読み出し、メモリ２７に記憶する。そして、該記憶した画像データをＲＯＭ２８に記録されている解凍するプログラムによりする。
次いで、ステップ３９に進み、解凍した画像データを指定されたフォルダにコピーする。これにより、特定の人（パスワードを知っている人）のみが、該メモリ・カード１３に記録されたデータを利用することができるので、第３者のデータの不正コピーを防止することができる。
【００６５】
Ｊ．このように、デジタルカメラ１のカードスロットにメモリ・カード１３が装着されると、デジタルカメラ１のフラッシュメモリ９に記録されている全ての画像データをメモリ・カード１３に記録するか否かを判断し、コピーすると判断した場合は、フラッシュメモリ９に記録されている全ての画像データ及び予め設定されているパスワードを暗号化する。そして、該暗号化された画像データ及びパスワードをメモリ・カード１３に記録する。
そして、暗号化された画像データ及びパスワードを記録したメモリ・カード１３をデジタルカメラ１から取り外し、該メモリ・カード１３をパソコン２１のカードスロットに装着する。すると、パソコン２１はメモリ・カード１３記録されている全ての画像データをパソコン２１のハードディスクにコピーするか否かを判断し、コピーすると判断した場合は、ユーザにパスワードを入力させる。そして、パスワードが入力されると、メモリ・カード１３に記録されている暗号化されたパスワードを読み出し、解凍する。そして、該解凍されたパスワードと入力されたパスワードとが比較し、一致するか否かの判断を行なう。一致している場合には、ユーザの画像データのコピー先を指定させ、コピー先が指定されたか否かの判断を行なう。そして、コピー先が指定されたと判断すると、メモリ・カード１３に記録され、暗号化されている全ての画像データを解凍し、該解凍された画像データを指定されたコピー先に記録する。
【００６６】
Ｋ．以上のように、第２の実施の形態においては、デジタルカメラ１は、メモリ・カード１３が装着され、カードＩ／Ｆ１２と接続されると、フラッシュメモリ９に記録されている全ての画像データを暗号化し、メモリ・カード１３にコピーするようにしたので、第三者のメモリ・カード１３に記録されているデータの不正利用を防止することができ、安全にコピーすることができる。
また、画像データを記録したメモリ・カード１３を落としたり、無くしたりした場合でも、そのメモリ・カード１３を拾った人は、該記録してある画像データを見たり、利用したりすることができないので、ユーザはかかる場合でも安心することができる。
【００６７】
また、パソコン２１にメモリ・カード１３が装着され、カードＩ／Ｆ２９と接続されると、ユーザにパスワードの入力を要求し、入力されたパスワードと、メモリ・カード１３から読み出したパスワードとが一致する場合は、メモリ・カード１３に記録され、暗号化されている全ての画像データを解凍し、該解凍した画像データをパソコン１のハードディスク２６に記録するので、メモリ・カード１３に記録されているデータの不正コピーを防止することができ、安全にコピーすることができる。
また、従来のデータ毎にパスワードをかける必要もないので、コピーデータの利用時のユーザの手間を省くことができる。
また、メモリ・カード１３を装着されると、データのコピー処理を開始するので、ユーザのデータをコピーする手間を省くことができ、簡単にすばやくコピーすることもできる。
【００６８】
［変形例］
Ｌ．上記各実施の形態の変形例として、以下のような態様も可能である。
予め、パソコン２１にメモリ・カード１３の画像データをコピーするコピー先フォルダというものを登録しておく。そして、メモリ・カード１３がパソコン２１と装着され、該メモリ・カード１３に記録された全てのデータをパソコン１のハードディスク２６にコピーする場合には、自動的に該登録されたコピー先フォルダにコピーするようにしてもよい。これによりユーザの手間を軽減することができる。
更に、自動的に該登録されたコピー先フォルダに画像データを記録する場合に、コピー先フォルダの下に、日付フォルダというもの作成し、該日付フォルダに画像データをコピーするようにしてもよい。この日付フォルダの日付は、コピー時の日付にする。
【００６９】
つまり、２００４年１０月２日にメモリ・カード１３から、パソコン１のハードディスクに画像データをコピーする場合には、「０３／１０／２」等のフォルダを作成し、このフォルダに画像データをコピーするようにする。
これにより、画像データの分類が容易となり、日付フォルダの日付を見ることにより、いつコピーしたものかを容易に認識することができ、利用時にも便利である。
また、メモリ・カード１３が装着されるとデータコピーの処理を開始するようにしたが、ユーザによりコピーする旨の操作が行われた場合に、内蔵データのすべてのデータ又はメモリ・カード１３に記録されているすべてのデータのコピーを行う処理を開始するようにしてもよい。
【００７０】
また、内蔵データのすべてのデータ又はメモリ・カード１３に記録されているすべてのデータのコピーを行うようにしたが、すべての内蔵データの中でユーザにより手動選択された内蔵データのみ又はメモリ・カード１３に記録されているすべてのデータ中でユーザにより手動選択されたデータのみをコピーするようにしてもよい。
また、デジタルカメラによっては、内蔵メモリ（フラッシュメモリ）を備えていない物もあるので、内蔵メモリを備えているか否かを判断し、備えていない場合には、本発明のデータのコピー処理を終了するようにしてもよい。
【００７１】
更に、上記各実施の形態における画像データ記録装置は、上記実施の形態に限定されるものではなく、携帯電話、ＰＤＡ、デジタルカメラ、パソコン等でもよく、要はデータを記録することができる機器であれば何でもよい。
【図面の簡単な説明】
【００７２】
【図１】本発明の第１の実施の形態のデジタルカメラのブロック図である。
【図２】本発明の第１の実施の形態のパソコンのブロック図である。
【図３】本発明の第１の実施の形態のデジタルカメラの動作を示すフローチャートである。
【図４】本発明の第１の実施の形態のパソコンの動作を示すフローチャートである。
【図５】デジタルカメラの画像表示部１０に表示される内容を示す図である。
【図６】パソコンの画像表示装置２３に表示される内容を示す図である。
【図７】本発明の第２の実施の形態のデジタルカメラの動作を示すフローチャートである。
【図８】本発明の第２の実施の形態のパソコンの動作を示すフローチャートである。
【符号の説明】
【００７３】
１      デジタルカメラ
２      ＣＣＤ
３      ＣＰＵ
４      ＴＧ
５      ユニット回路
６      ＤＲＡＭ
７      ＲＡＭ
８      ＲＯＭ
９      キー入力部
１０    カードＩ／Ｆ
１１    メモリ・カード
２１    パソコン
２２    ＣＰＵ
２３    画像表示装置
２４    キーボード
２５    マウス
２６    ハードディスク
２７    メモリ
２８    ＲＯＭ
２９    カードＩ／Ｆ
【図１】
2005167548.tif 000003
【図２】
2005167548.tif 000004
【図３】
2005167548.tif 000005
【図４】
2005167548.tif 000006
【図５】
2005167548.tif 000007
【図６】
2005167548.tif 000008
【図７】
2005167548.tif 000009
【図８】
2005167548.tif 000010